(57)【要約】【課題】エアポンプの性能に関係なく、マッサージ動作のバリエーションを増加させることができるマッサージ機を提供することを目的とする。【解決手段】本発明は、エアセル９に空気を供給するためのエアポンプ１７と、複数のエアセル９と、を有し、前記複数のエアセルのうち、少なくとも１つは、膨脹することで被施療者に対して押圧刺激を与える第１エアセル１０であり、少なくとも１つは、外部からの力の作用によって収縮可能な第２エアセル１１であり、外部からの力の作用によって、前記第２エアセル１１を収縮させることで前記第２エアセル内１１の空気を前記第１エアセル１０へ移動させることを特徴とする。【選択図】図９
2016158982.tif 000002
【特許請求の範囲】
【請求項１】
エアセルに空気を供給するためのエアポンプと、複数のエアセルと、を有し、
前記複数のエアセルのうち、
少なくとも１つは、膨脹することで被施療者に対して押圧刺激を与える第１エアセルであり、
少なくとも１つは、外部からの力の作用によって収縮可能な第２エアセルであり、
外部からの力の作用によって、前記第２エアセルを収縮させることで前記第２エアセル内の空気を前記第１エアセルへ移動させることを特徴とするマッサージ機。
【請求項２】
前記第１エアセルは、施療用エアセル、又は、施療機構を進退動作させるための進退動作用エアセルであることを特徴とする請求項１に記載のマッサージ機。
【請求項３】
前記エアポンプを駆動させた状態で、外部からの力の作用によって、前記第２エアセルを収縮させることで前記第２エアセル内の空気を前記第１エアセルへ移動させることを特徴とする請求項１又は２に記載のマッサージ機。
【請求項４】
前記エアポンプの駆動を停止させた状態で、外部からの力の作用によって、前記第２エアセルを収縮させることで前記第２エアセル内の空気を前記第１エアセルへ移動させることを特徴とする請求項１又は２に記載のマッサージ機。
【請求項５】
前記第１エアセルと前記第２エアセルとを、連通状態と非連通状態とに切り替え可能なバルブが設けられていることを特徴とする請求項１〜４のいずれか１項に記載のマッサージ機。
【請求項６】
前記外部からの力の作用は、人体によるものであることを特徴とする請求項１〜５のいずれか１項に記載のマッサージ機。
【請求項７】
前記外部からの力の作用は、装置によるものであることを特徴とする請求項１〜５のいずれか１項に記載のマッサージ機。
【請求項８】
前記装置は、負荷状態と無負荷状態とを繰り返し行うことができるように構成されていることを特徴とする請求項７に記載のマッサージ機。
【発明の詳細な説明】
【技術分野】
【０００１】
本発明は、マッサージ機に関する。より詳しくは、エアポンプの性能に関係なく、マッサージ動作のバリエーションを増加させることができるマッサージ機に関する。
【背景技術】
【０００２】
従来、エアバック、エアポンプ及び制御系統毎に電磁弁を備えてなる駆動装置を備えたマッサージ機において、膨張状態の前記エアバックの保圧によるマッサージを行う際、前記エアポンプを非駆動状態とするとともに、前記エアポンプと保圧対象の前記エアバッグとを前記電磁弁にて接続し、前記エアポンプの逆止弁による同対象のエアバッグの保圧を行うことを特徴とするマッサージ機が知られている。
【先行技術文献】
【特許文献】
【０００３】
【特許文献１】特開２０１２−１７０６１１号公報
【発明の概要】
【発明が解決しようとする課題】
【０００４】
しかし、上記特許文献１のマッサージ機は、エアバックを保圧することにより、被施療者に対してマッサージを行うものであり、マッサージ動作のバリエーションに乏しいという問題がある。
【０００５】
そこで本発明は、上述した問題を解消するためになされたものであり、エアポンプの性能に関係なく、マッサージ動作のバリエーションを増加させることができるマッサージ機を提供することを目的とする。
【課題を解決するための手段】
【０００６】
本発明は、エアセルに空気を供給するためのエアポンプと、複数のエアセルと、を有し、前記複数のエアセルのうち、少なくとも１つは、膨脹することで被施療者に対して押圧刺激を与える第１エアセルであり、少なくとも１つは、外部からの力の作用によって収縮可能な第２エアセルであり、外部からの力の作用によって、前記第２エアセルを収縮させることで前記第２エアセル内の空気を前記第１エアセルへ移動させることを特徴とする。
このような構成とすることにより、エアポンプの性能に関係なく、マッサージ動作のバリエーションを増加させることができる。
【０００７】
また、前記第１エアセルは、施療用エアセル、又は、施療機構を進退動作させるための進退動作用エアセルであることが好ましい。
このような構成とすることにより、エアポンプの性能に関係なく、被施療者に対して、より強い刺激を与えることができる。
【０００８】
また、前記エアポンプを駆動させた状態で、外部からの力の作用によって、前記第２エアセルを収縮させることで前記第２エアセル内の空気を前記第１エアセルへ移動させることが好ましい。
このような構成とすることにより、エアポンプの性能以上の圧力を出すことができるため、被施療者に対して、より強い刺激を与えることができる。
【０００９】
また、前記エアポンプの駆動を停止させた状態で、外部からの力の作用によって、前記第２エアセルを収縮させることで前記第２エアセル内の空気を前記第１エアセルへ移動させることが好ましい。
このような構成とすることにより、エアポンプの性能に関係なく、被施療者に対して、より強い刺激を与えることができる。
【００１０】
また、前記第１エアセルと前記第２エアセルとを、連通状態と非連通状態とに切り替え可能なバルブが設けられていることが好ましい。
このような構成とすることにより、第２エアセルを施療用エアセルと進退動作用エアセルとに切り替えることができる。
【００１１】
また、前記外部からの力の作用は、人体によるものであることが好ましい。
このような構成とすることにより、人体の負荷によって、第１エアセルへの空気の移動を行うことができるため、簡単な構造で容易に空気の移動を行うことができる。
【００１２】
また、前記外部からの力の作用は、装置によるものであることが好ましい。
このような構成とすることにより、装置によって、第１エアセルへの空気の移動を行うことができるため、被施療者に対して負担をかけることなく、細かな制御をすることができる。
【００１３】
また、前記装置は、負荷状態と無負荷状態とを繰り返し行うことができるように構成されていることが好ましい。
このような構成とすることにより、装置による圧力の負荷、無負荷を繰り返すことによって、パルスのような刺激を与えることができる。
【発明の効果】
【００１４】
本発明によれば、エアポンプの性能に関係なく、マッサージ動作のバリエーションを増加させることができる。
【図面の簡単な説明】
【００１５】
【図１】本発明の一実施形態に係るマッサージ機を示す図である。
【図２】マッサージ機構の全体構成を示す斜視図である。
【図３】（ａ）は第１エアセルが収縮した状態の第１アーム及び第２アームの側面図であり、（ｂ）は第１エアセルが膨脹した状態の第１アーム及び第２アームの側面図である。
【図４】（ａ）は給気におけるバルブの状態を示す図であり、（ｂ）は排気におけるバルブの状態を示す図である。
【図５】第２エアセルの側面図である。
【図６】第２エアセルと装置との関係を示す側面図であり、（ａ）は、装置による外部からの力の作用を与える前の状態を示す図であり、（ｂ）は、装置による外部からの力の作用を与えた後の状態を示す図である。
【図７】バルブの構成を示すブロック図である。
【図８】（ａ）は、第１バルブのＯＮ状態を示す図であり、（ｂ）は、第２バルブのＯＮ状態を示す図であり、（ｃ）は、第１バルブと第２バルブとがＯＮ状態であることを示す図であり、（ｄ）は、第１バルブと第２バルブとがＯＮ状態であり、第２エアセルが外部からの力の作用を受けている状態を示す図である。
【図９】人体によって外部からの力の作用を与えた場合の状態を示す図である。
【図１０】装置によって、負荷ON状態と負荷OFF状態とを繰り返し行っている状態を示す図である。
【図１１】（ａ）は、本発明の他の実施形態に係るマッサージ機の全体構成を示す図であり、（ｂ）は、他の実施形態に係るバルブの構成を示すブロック図である。
【図１２】本発明の他の実施形態に係るストレッチ動作を示す図であり、（ａ）は、ストレッチ前の状態を示す図であり、（ｂ）は、ストレッチ状態を示す図である。
【発明を実施するための形態】
【００１６】
以下、本発明の一実施形態に係るマッサージ機１の全体構成について説明する。
なお、以下の説明で用いる方向の概念は、図１に示す起立状態にあるマッサージ機１に着座した被施療者から見たときの方向の概念と一致するものとし、左手側が「左」であり、右手側が「右」であり、頭部側が「上」であり、腰部側が「下」であり、その他の場合は適宜説明するものとする。
【００１７】
［マッサージ機の全体構成］
図１に示す通り、本発明のマッサージ機１は、主として、被施療者が着座する座部２と座部２の後部にリクライニング可能に設けられた被施療者が凭れる背凭れ部３と、背凭れ部３の内部に昇降自在に設けられたマッサージ機構４と、座部２の前部に上下揺動可能に設けられた被施療者の脚部及び足部を支持するフットレスト５と、座部２の左右両側に設けられた被施療者が腕部を載置する肘掛部６と、座部２を支持するとともに床面に設置される脚フレーム７と、を有している。そして、座部２や背凭れ部３など被施療者の身体を支持する身体支持部８には、複数のエアセル９が設けられており、前記複数のエアセル９は、被施療者の被施療部を施療するための施療機構としての第１エアセル１０と外部からの力の作用によって収縮可能な第２エアセル１１とで構成されている。
【００１８】
［マッサージ機構の構成］
図２、３に示す通り、前記マッサージ機構４は、被施療者に対して押圧刺激を与えるための施療子１２が設けられた第１アーム１３と、前記施療子１２を支持するための第２アーム１４とを有しており、前記第１アーム１３と前記第２アーム１４とは、一端が揺動軸１５で固定されており、前記揺動軸１５を支点として、前後揺動可能に構成されている。
【００１９】
前記第２アーム１４の上部には、前記第１アーム１３を前方へ押し出すための第１エアセル１０が設けられており、前記第１エアセル１０が膨脹することによって、前記第１アーム１３を前方へ押し出し、被施療者に対してより強い押圧刺激を与えることができるように構成されている。
【００２０】
［エアセルの構成］
図１〜３に示す通り、本発明のマッサージ機のエアセル９は、複数のエアセル９を有しており、前記複数のエアセルのうち、少なくとも１つは前記マッサージ機構４を被施療者に対して押し出すことによって、被施療者の施療部位に対してマッサージを行うための第１エアセル１０であり、また、前記複数のエアセル９の少なくとも１つは、外部からの力の作用によって、収縮可能な第２エアセル１１である。
【００２１】
前記複数のエアセル９は、前記複数のエアセル９へ空気を給排するためのエアホース１６がそれぞれ接続されており、前記エアホース１６と前記エアポンプ１７との間には、前記複数のエアセル９への空気の移動量を調整するためのバルブ１８が設けられている。
【００２２】
［第１エアセルの構成］
図３に示す通り、前記第１エアセル１０は、前記第２アーム１４の前面上側に取り付けられており、その端部１９は、前記第２アーム１４の略中央に固定されている。また、三連のエアセルで構成されており、前記エアポンプ１７から空気が供給されることによって、前記第１エアセル１０が膨脹し、前記第１アーム１０を前方へ揺動させることで、被施療者に対して押し出すようなマッサージ動作を行うことができるように構成されている。
【００２３】
［第２エアセルの構成］
図５に示す通り、前記第２エアセル１１は、蛇腹状のエアセルで構成されている。前記第２エアセル１１の底面部は、固定部２０に固定されており、前記エアポンプ１７から空気が供給されることによって、上方向へ膨脹するように構成されている。
【００２４】
また、前記第２エアセル１１は、外部からの力の作用によって収縮可能に構成されており、前記外部からの力の作用は、前記第２エアセル１１が設けられた装置２１によって与えられるように構成されている。
【００２５】
［装置の構成］
図６に示すとおり、前記装置２１は、前記第２エアセル１１の周囲を囲うように設けられており、その内部には、外部からの力の作用によって収縮可能な前記第２エアセル１１が設けられている。
前記装置２１上部には、前記第２エアセル１１を押しつぶすための押圧部材２２が取り付けられている。
【００２６】
前記押圧部材２２は、前記第２エアセル１１を押しつぶすための押圧具２３と伸縮するシリンダー２４とで構成されている。前記シリンダー２４が伸張することによって、前記第２エアセル１１に対して接近する方向へ前記押圧具２３を押出し、前記第２エアセル１１を押しつぶすことができる。
【００２７】
［バルブの構成］
図４、７に示す通り、バルブ１８は、前記エアポンプ１７と前記エアホース１６との間に設けられた電磁弁であり、前記第１エアセル１０と前記エアポンプ１７とを接続する第１バルブ２５と、前記第２エアセル１１と前記エアポンプ１７とを接続する第２バルブ２６とで構成されている。
なお、第１バルブ２５と第２バルブ２６は三方弁である。
【００２８】
前記第１バルブ２５、第２バルブ２６のそれぞれを、ON状態（連通状態）とOFF状態（非連通状態）とに切替えることによって、前記第１エアセル１０と前記第２エアセル１１への空気の移動を調整することができる。
なお、前記第１バルブ２５、第２バルブ２６のON状態とOFF状態との組合せについては、どのように組合せてもよい。
【００２９】
［第１バルブＯＮ状態］
図８（ａ）は前記第１バルブ２５がＯＮ状態にあることを示す図であり、前記第１エアセル１０に対して空気を供給している状態である。前記空気エアポンプ１７と前記第１エアセル１０とを、前記第１バルブ２５を介してＯＮ状態にさせることによって、前記エアポンプ１７からの空気を前記第１エアセル１０へ送り込むことができる。
なお、前記第１バルブ２５をOFF状態にすると、前記第１エアセル１０の空気を大気へ排気する。
【００３０】
［第２バルブＯＮ状態］
図８（ｂ）は、前記第２バルブ２６がＯＮ状態にあることを示す図であり、前記第２エアセル１１に対して空気を供給している状態である。前記空気エアポンプ１７と前記第２エアセル１１とを、前記第２バルブ２６を介してＯＮ状態にさせることによって、前記エアポンプ１７からの空気を前記第２エアセル１１へ送り込むことができる。
なお、前記第２バルブ２６をOFF状態にすると、前記第２エアセル１１の空気を大気へ排気する。
【００３１】
［第１バルブ、第２バルブＯN状態］
図８（ｃ）は、前記第１バルブ２５と前記第２バルブ２６がＯN状態にあることを示す図である。
このように構成することによって、前記第１エアセル１０内の空気と前記第２エアセル１１内の空気を大気へ排気しない状態を維持することができる。
【００３２】
［第１バルブ、第２バルブＯＮ状態、第２エアセルが外部からの力の作用を受けている状態］
図８（ｄ）は、前記第１バルブ２５、前記第２バルブ２６がＯＮ状態にあり、前記第２エアセル１１が外部からの力の作用を受けている状態であることを示す図である。
このように構成することによって、前記第１エアセル１０内の空気と前記第２エアセル１１内の空気を大気へ排気しない状態を維持することができるとともに、前記第２エアセル１１内の空気を前記第１エアセル１０へ送り込むことができる。
なお、これらの状態の際には、前記エアポンプ１７を駆動させた状態であっても、駆動を停止させた状態のどちらであってもよい。
【００３３】
［人体によって第２エアセルを収縮させた状態］
図９は、人体（被施療者）によって、前記第２エアセル１１に対して前記外部からの力の作用が与えられた状態を示す図であり、前記第２エアセル１１は、座部２に設けられている。
前記第１バルブ２５、第２バルブ２６をＯＮ状態にし、前記エアポンプ１７を駆動させて前記第１、第２エアセル１０、１１内に空気を供給した後、被施療者が前記座部２に着座すると、前記座部２に設けられた前記第２エアセル１１は、被施療者の体重によって収縮することとなり、前記第２エアセル１１内の空気は、前記エアホース１６を介して、前記第１エアセル１０に移動する。
そうすると、前記第１エアセル１０は、前記第２エアセル１１内から空気が移動された分、より膨脹することとなり、被施療者に対する押し出す量を増加させることとなり、体感を向上させることができる。
なお、前記エアポンプ１７は、前記第１、第２エアセル１０、１１へ空気を供給した段階において、駆動を停止させておいてもよい。
【００３４】
［装置によって第２エアセルを収縮させた状態］
図６は、装置２１によって、前記第２エアセル１１に対して前記外部からの力の作用が与えられた状態を示す図であり、前記第１バルブ２５、第２バルブ２６をＯＮ状態にし、前記エアポンプ１７を駆動させて前記第１、第２エアセル１０、１１内に空気を供給した後、前記装置２１を駆動させることによって、前記第２エアセル１１は、前記押圧部材２２を介して収縮することとなり、前記第２エアセル１１内の空気は、前記エアホース１６を介して、前記第１エアセル１０に移動する。
なお、これらの状態の際には、前記エアポンプ１７を駆動させた状態であっても、駆動を停止させた状態のどちらであってもよい。
【００３５】
具体的には、前記第１バルブ２５、第２バルブ２６をＯＮ状態にし、前記エアポンプ１７を駆動させて前記第１、第２エアセル１０、１１内に空気を供給した後、前記装置２１を駆動させると、前記装置２１に設けられたシリンダー２４が伸張し、前記押圧部材２２を前記第２エアセル１１の方へ押し出す。そうすると、前記押圧部材２２の押圧力に耐え切れなくなった前記第２エアセル１１は収縮し、前記第２エアセル１１内の空気が前記第１エアセル１０へ移動することとなる。
そうすると、前記第１エアセル１０は、前記第２エアセル１１内から空気が移動された分、より膨脹することとなり、被施療者に対する押し出す量を増加させることとなり、体感を向上させることができる。
【００３６】
［装置によって負荷状態と無負荷状態とを繰り返し行っている状態］
図１０は、装置２１によって、負荷状態と無負荷状態とを繰り返し行っていることを示す図であり、前記装置２１のシリンダー２４を伸張状態と収縮状態とに切り替えることによって、負荷状態と無負荷状態とを交互に、被施療者に対して与えることができる。
そうすることによって、いわゆるパルスのようなマッサージ動作を被施療者に対して与えることができる。
【００３７】
［他の実施形態の構成］
以下、本発明の他の実施形態に係るマッサージ機２８に備えられたエアセル３１、３３の構成について説明する。
図１１（ａ）は、本発明の他の実施形態に係るマッサージ機２８を示す図であり、（ｂ）は、バルブの構成を示すブロック図である。前記マッサージ機２８には、被施療者を施療するための施療用エアセル３１、３３が設けられている。
【００３８】
図１１、１２に示す通り、前記施療用エアセルは、背凭れ部３０に設けられた第２エアセル３１と、座部３２に設けられた第１エアセル３３とで構成されており、それぞれがエアホース３４を介してエアポンプ３５に接続されている。そして、前記第２エアセル３１とエアポンプ３５との間には、第４バルブ３６が設けられており、前記第１エアセル３３とエアポンプ３５との間には、第５バルブ３７が設けられている。
なお、前記第４バルブ３６と第５バルブ３７は三方弁である。
【００３９】
［ストレッチ動作］
前記背凭れ部３０を起こした状態で、前記第４バルブ３６をＯＮ状態にし、前記エアポンプ１７を駆動させて前記第２エアセル３１を膨脹させる。その後、前記第４バルブ３６のＯＮ状態を維持したまま、第５バルブ３７をＯＮ状態にするとともに、前記背凭れ部３０を倒していく。そうすると、前記背凭れ部３０が倒れるに連れて、前記第２エアセル３１は、被施療者から受ける力の作用が大きくなることにより収縮し、前記第２エアセル３１内の空気が前記第１エアセル３３へ移動する。
なお、前記エアポンプ１７は、前記第２エアセル３１を膨脹させた段階において、停止させておいてもよい。
【００４０】
前記第１エアセル３３内へ空気が移動することによって、前記第１エアセル３３が膨脹し、被施療者の臀部を持ち上げる。そうすると、被施療者の上半身が倒れるに連れて臀部が持ち上げられることとなり、結果として、臀部の押し上げによる腰を反らすようなストレッチ動作をすることができる。
【産業上の利用可能性】
【００４１】
本発明は、エアポンプの性能に関係なく、マッサージ動作のバリエーションを増加させることができるマッサージ機に適用することができる。
【符号の説明】
【００４２】
エアセル  ９
エアポンプ    １７
第１エアセル  １０、３３
第２エアセル  １１、３１
【図１】
2016158982.tif 000003
【図２】
2016158982.tif 000004
【図３】
2016158982.tif 000005
【図４】
2016158982.tif 000006
【図５】
2016158982.tif 000007
【図６】
2016158982.tif 000008
【図７】
2016158982.tif 000009
【図８】
2016158982.tif 000010
【図９】
2016158982.tif 000011
【図１０】
2016158982.tif 000012
【図１１】
2016158982.tif 000013
【図１２】
2016158982.tif 000014